(57)【要約】【課題】仮登録状態を用いて携帯電話機を管理する電話制御装置を携帯電話機により利用可能とする。【解決手段】携帯電話機１において、位置登録部１７Ｂにより、電話制御装置２Ｂに接続する際、電話制御装置２Ｂに対して位置登録要求を送信するとともに記憶部１６に位置登録進捗状況１６Ｂとして位置登録中であることを記憶させ、当該電話制御装置２Ｂから返送された位置登録完了通知の受信に応じて記憶部１６の位置登録進捗状況１６Ｂとして登録完了したことを記憶させ、呼制御部１７Ａにより、記憶部１６の位置登録進捗状況１６Ｂが位置登録中を示す際の発信操作に応じて、位置登録中の電話制御装置２Ｂに対して発信要求を送信する。【選択図】  図１
2008252825.tif 000002
【特許請求の範囲】
【請求項１】
固定網および携帯網で共通の共通電話番号を有し、固定網に接続されている電話制御装置と携帯網のいずれに対しても無線回線を介して接続可能な携帯電話機であって、
電話制御装置に対する位置登録進捗状況を記憶する記憶部と、
電話制御装置に接続する際、前記電話制御装置に対して位置登録要求を送信するとともに前記記憶部に位置登録進捗状況として位置登録中であることを記憶させ、当該電話制御装置から返送された位置登録完了通知の受信に応じて前記記憶部に位置登録進捗状況として登録完了したことを記憶させる位置登録部と、
前記記憶部の位置登録進捗状況が位置登録中を示す際の発信操作に応じて、位置登録中の電話制御装置に対して発信要求を送信する呼制御部と
を備えることを特徴とする携帯電話機。
【請求項２】
請求項１に記載の携帯電話機において、
前記位置登録部は、電話制御装置に接続する際、前記位置登録要求を送信した後、前記電話制御装置から返送された位置登録確認要求の受信に応じて、前記記憶部に位置登録進捗状況として位置登録中であることを記憶させ、
前記記憶部の位置登録進捗状況が位置登録中を示す際に発信操作が行われた場合、前記位置登録部は、位置登録中の電話制御装置に対して位置登録確認応答を送信し、前記呼制御部は、前記電話制御装置からの位置登録完了通知の受信に応じて前記電話制御装置に対して発信要求を送信する
ことを特徴とする携帯電話機。
【請求項３】
請求項２に記載の携帯電話機において、
前記呼制御部は、
前記記憶部の位置登録進捗状況が位置登録中を示す際に前記携帯網から着信通知を受信した場合、前記位置登録部は、位置登録中の電話制御装置に対して位置登録確認応答を送信し、前記呼制御部は、前記電話制御装置からの位置登録完了通知の受信後、前記電話制御装置からの着信通知の受信に応じて着信表示を行う
ことを特徴とする携帯電話機。
【請求項４】
固定網および携帯網で共通の共通電話番号を有し、固定網に接続されている電話制御装置と携帯網のいずれに対しても無線回線を介して接続可能な携帯電話機で用いる携帯電話機制御方法であって、
位置登録部により、電話制御装置に接続する際、前記電話制御装置に対して位置登録要求を送信するとともに記憶部に位置登録進捗状況として位置登録中であることを記憶させ、当該電話制御装置から返送された位置登録完了通知の受信に応じて前記記憶部に位置登録進捗状況として登録完了したことを記憶させる位置登録ステップと、
呼制御部により、前記記憶部の位置登録進捗状況が位置登録中を示す際の発信操作に応じて、位置登録中の電話制御装置に対して発信要求を送信する通話制御ステップと
を備えることを特徴とする携帯電話機制御方法。
【請求項５】
固定網および携帯網で共通の共通電話番号を有し、固定網に接続されている電話制御装置と携帯網のいずれに対しても無線回線を介して接続可能な携帯電話機のコンピュータに、
位置登録部により、電話制御装置に接続する際、前記電話制御装置に対して位置登録要求を送信するとともに記憶部に位置登録進捗状況として位置登録中であることを記憶させ、当該電話制御装置から返送された位置登録完了通知の受信に応じて前記記憶部に位置登録進捗状況として登録完了したことを記憶させる位置登録ステップと、
呼制御部により、前記記憶部の位置登録進捗状況が位置登録中を示す際の発信操作に応じて、位置登録中の電話制御装置に対して発信要求を送信する通話制御ステップと
を実行させるためのプログラム。
【発明の詳細な説明】
【技術分野】
【０００１】
本発明は、無線電話技術に関し、特に１つの電話番号で携帯網と電話制御装置に接続された固定網の両方を利用できる携帯電話機に関する。
【背景技術】
【０００２】
従来より、利用者がどこでも利用できる携帯電話機のメリットと、通話品質、データ転送速度、利用料金等の面で携帯網より優れている固定網のメリットとを融合させたシステムが検討されている。
【０００３】
例えば、特許文献１には、ＰＨＳの携帯電話機に関する発明が開示されている。この発明の携帯電話機は、携帯電話機を公衆網と接続する公衆モードのほか、携帯電話機を電話制御装置の内線電話端末として接続する自営モードを備えている。この携帯電話機には、公衆／自営モードでは異なった内線呼出番号が対応付けられており、自営モードで利用する場合は、携帯電話機に割り振られた呼出番号ではなく、電話制御装置に割り振られた内線呼出番号が利用される。
【０００４】
【特許文献１】特開平１０−１０８２４５号公報
【発明の開示】
【発明が解決しようとする課題】
【０００５】
このような従来技術では、携帯電話機に対して固定回線の使用が許可されている電話制御装置に接続する場合を前提としているが、固定回線の使用が制限される他の電話制御装置に接続する場合も考えられる。
この際、他の電話制御装置では、携帯電話機からの発信要求や固定網からの着信通知に応じて、携帯電話機が固定回線を実際に使用する状況になるまで仮登録状態で管理される場合がある。
【０００６】
しかしながら、上記従来技術では、携帯電話機にこのような電話制御装置での仮登録状態に対応する機能が設けられておらず、仮登録状態を用いて携帯電話機を管理する電話制御装置を利用することができないという問題点があった。
本発明はこのような課題を解決するためのものであり、仮登録状態を用いて携帯電話機を管理する電話制御装置を利用できる携帯電話機、携帯電話機制御方法、およびプログラムを提供することを目的としている。
【課題を解決するための手段】
【０００７】
このような目的を達成するために、本発明にかかる携帯電話機は、固定網および携帯網で共通の共通電話番号を有し、固定網に接続されている電話制御装置と携帯網のいずれに対しても無線回線を介して接続可能な携帯電話機であって、電話制御装置に対する位置登録進捗状況を記憶する記憶部と、電話制御装置に接続する際、電話制御装置に対して位置登録要求を送信するとともに記憶部に位置登録進捗状況として位置登録中であることを記憶させ、当該電話制御装置から返送された位置登録完了通知の受信に応じて記憶部に位置登録進捗状況として登録完了したことを記憶させる位置登録部と、記憶部の位置登録進捗状況が位置登録中を示す際の発信操作に応じて、位置登録中の電話制御装置に対して発信要求を送信する呼制御部とを備えている。
【０００８】
この際、位置登録部で、電話制御装置に接続する際、位置登録要求を送信した後、電話制御装置から返送された位置登録確認要求の受信に応じて、記憶部に位置登録進捗状況として位置登録中であることを記憶させ、記憶部の位置登録進捗状況が位置登録中を示す際に発信操作が行われた場合、位置登録部で、位置登録中の電話制御装置に対して位置登録確認応答を送信し、呼制御部で、電話制御装置からの位置登録完了通知の受信に応じて電話制御装置に対して発信要求を送信するようにしてもよい。
【０００９】
また、呼制御部で、記憶部の位置登録進捗状況が位置登録中を示す際に携帯網から着信通知を受信した場合、位置登録部は、位置登録中の電話制御装置に対して位置登録確認応答を送信し、呼制御部は、電話制御装置からの位置登録完了通知の受信後、電話制御装置からの着信通知の受信に応じて着信表示を行うようにしてもよい。
【００１０】
また、本発明にかかる携帯電話機制御方法は、固定網および携帯網で共通の共通電話番号を有し、固定網に接続されている電話制御装置と携帯網のいずれに対しても無線回線を介して接続可能な携帯電話機で用いる携帯電話機制御方法であって、位置登録部により、電話制御装置に接続する際、電話制御装置に対して位置登録要求を送信するとともに記憶部に位置登録進捗状況として位置登録中であることを記憶させ、当該電話制御装置から返送された位置登録完了通知の受信に応じて記憶部に位置登録進捗状況として登録完了したことを記憶させる位置登録ステップと、呼制御部により、記憶部の位置登録進捗状況が位置登録中を示す際の発信操作に応じて、位置登録中の電話制御装置に対して発信要求を送信する通話制御ステップとを備えている。
【００１１】
また、本発明にかかるプログラムは、固定網および携帯網で共通の共通電話番号を有し、固定網に接続されている電話制御装置と携帯網のいずれに対しても無線回線を介して接続可能な携帯電話機のコンピュータに、位置登録部により、電話制御装置に接続する際、電話制御装置に対して位置登録要求を送信するとともに記憶部に位置登録進捗状況として位置登録中であることを記憶させ、当該電話制御装置から返送された位置登録完了通知の受信に応じて記憶部に位置登録進捗状況として登録完了したことを記憶させる位置登録ステップと、呼制御部により、記憶部の位置登録進捗状況が位置登録中を示す際の発信操作に応じて、位置登録中の電話制御装置に対して発信要求を送信する通話制御ステップとを実行させる。
【発明の効果】
【００１２】
本発明によれば、携帯電話機において、位置登録部により、電話制御装置に接続する際、電話制御装置に対して位置登録要求を送信するとともに記憶部に位置登録進捗状況として位置登録中であることを記憶させ、当該電話制御装置から返送された位置登録完了通知の受信に応じて記憶部に位置登録進捗状況として登録完了したことを記憶させ、呼制御部により、記憶部の位置登録進捗状況が位置登録中を示す際の発信操作に応じて、位置登録中の電話制御装置に対して発信要求を送信するようにしたので、電話制御装置に対して位置登録要求送信後、位置登録完了が返送されない仮登録状態においても発信処理を行うことができる。
【００１３】
したがって、携帯電話機による固定回線の使用が制限される電話制御装置に接続する場合であって、当該電話制御装置により仮登録状態を用いて管理される場合でも、当該電話制御装置の携帯電話機制御に対応することが可能となる。
このため、例えば携帯網と自宅の固定回線とで共用していた携帯電話機を、会社や友人宅などの固定回線も使用することができ、携帯電話機の接続範囲を大幅に拡張することができる。したがって、携帯電話機の機動性と安価な固定回線使用によるコスト削減とを結び付けることが可能となり、携帯電話機を極めて効果的に利用することができる。
【発明を実施するための最良の形態】
【００１４】
次に、本発明の実施の形態について図面を参照して説明する。
［第１の実施の形態］
まず、図１を参照して、本発明の第１の実施の形態にかかる携帯電話機について説明する。図１は、本発明の第１の実施の形態にかかる携帯電話機が用いられる携帯電話サービス網の構成を示すブロック図である。
この携帯電話サービス網は、携帯網３、固定網４、および管理装置５と、固定網４に接続された複数の電話制御装置２Ａ，２Ｂと、携帯網３および電話制御装置２Ａ，２Ｂに接続可能な携帯電話機１とから構成されている。
【００１５】
携帯網３は、ＰＤＣ網、ＣＤＭＡ網、ＰＨＳ網などの携帯電話サービス網からなり、中継回線６０を介して固定網４と接続されているとともに、制御回線６１を介して管理装置５と接続されている。
携帯網３は、主な機能として、無線回線を介して接続した携帯電話機１などの無線端末に対して、発信、着信、通話やデータ通信などの各種携帯電話サービスを提供する機能と、中継回線６０を介して固定網４との間で発呼や着呼を中継する機能とを有している。
【００１６】
このほか、携帯網３は、主な機能として、無線回線３０を介した携帯電話機１からの位置登録要求メッセージを、制御回線６１を介して管理装置５へ転送する機能と、携帯電話機１に対する着呼に応じて管理装置５から携帯電話機１の位置登録情報を取得して接続状況を確認する機能と、携帯電話機１が携帯網３に接続されている場合には無線回線３０を介して携帯電話機１へ着信を通知する機能と、携帯電話機１が電話制御装置２Ａ，２Ｂを介して固定網４に接続されている場合には中継回線６０を介して固定網４へ当該着呼を中継する機能とを有している。
【００１７】
固定網４は、ＰＳＴＮ網やＩＰ電話網などの固定電話サービス網からなり、中継回線６０を介して携帯網３と接続されているとともに、制御回線６２を介して管理装置５と接続されている。
固定網４は、主な機能として、固定回線を介して接続した電話制御装置２Ａ，２Ｂなどの電話装置に対して、発信、着信、通話やデータ通信などの各種固定電話サービスを提供する機能と、中継回線６０を介して携帯網３との間で発呼や着呼を中継する機能とを有している。
【００１８】
このほか、固定網４は、主な機能として、固定回線４０Ａ，４０Ｂを介した電話制御装置２Ａ，２Ｂからの携帯電話機１に関する位置登録要求メッセージを、制御回線６２を介して管理装置５へ転送する機能と、携帯電話機１に対する着呼に応じて管理装置５から携帯電話機１の位置登録情報を取得して接続状況を確認する機能と、携帯電話機１が電話制御装置２Ａ，２Ｂを介して固定網４に接続されている場合には固定回線４０Ａ，４０Ｂを介して携帯電話機１へ着信を通知する機能と、携帯電話機１が携帯網３に接続されている場合には中継回線６０を介して携帯網３へ当該着呼を中継する機能とを有している。
【００１９】
管理装置５は、サーバ装置などの情報処理装置からなり、制御回線６１を介して携帯網３と接続されているとともに、制御回線６２を介して固定網４と接続されている。
管理装置５は、主な機能として、携帯網３や固定網４からの携帯電話機１に関する位置登録要求に応じて、当該携帯電話機１が接続されているロケーションなどの接続状況に関する位置登録情報を更新蓄積する機能と、携帯網３や固定網４からの問い合わせに応じて携帯電話機１の位置登録情報を通知する機能とを有している。
【００２０】
電話制御装置２Ａ，２Ｂは、ボタン電話装置の主装置、無線親子電話装置の親機、あるいはサーバ装置など、電話システムを構成する通信制御装置からなり、固定回線４０Ａ，４０Ｂを介して固定網４に接続されている。
本発明では、説明の便宜上、電話制御装置２Ａを携帯電話機１の移動元の主電話制御装置として、携帯電話機１が所定の優先度の元で固定回線４０Ａの使用が許可されているものとし、電話制御装置２Ｂを携帯電話機１の移動先の副電話制御装置として、携帯電話機１が主電話制御装置より優先度が低く固定回線４０Ｂの使用が制限されているものとする。
【００２１】
電話制御装置２Ａ，２Ｂは、主な機能として、内線回線を介して収容した内線電話端末に対して、固定回線４０Ａ，４０Ｂや内線回線（図示せず）を用いた、発信、着信、通話やデータ通信などの各種電話サービスを提供する機能と、無線ＬＡＮ、Ｂｌｕｅｔｏｏｔｈ（登録商標）、ＰＨＳなどの無線回線２０Ａ，２０Ｂを介して携帯電話機１を内線電話端末として収容する機能と、携帯電話機１からの位置登録要求に応じて固定回線４０Ａ，４０Ｂ、固定網４を介して管理装置５へ位置登録要求を行う機能とを有している。
【００２２】
携帯電話機１は、ＰＤＣ、ＣＤＭＡ、ＰＨＳなどの無線電話端末からなり、携帯網３および固定網４で共通の共通電話番号を有し、無線回線３０を介して携帯網３に接続されるとともに、無線回線２０Ａ，２０Ｂを介して電話制御装置２Ａ，２Ｂへ接続される。
携帯電話機１は、主な機能として、携帯網３や固定網４から提供されている、発信、着信、通話やデータ通信などの各種電話サービスを利用する機能と、携帯網３の無線エリアに在圏する場合には無線回線３０を介して携帯網３へ位置登録要求を行う機能と、電話制御装置２Ａ，２Ｂの無線エリアに在圏する場合には無線回線２０Ａ，２０Ｂを介して電話制御装置２Ａ，２Ｂへ位置登録要求を行う機能とを有している。
【００２３】
本実施の形態は、携帯電話機１において、位置登録部により、電話制御装置に接続する際、電話制御装置に対して位置登録要求を送信するとともに記憶部に位置登録進捗状況として位置登録中であることを記憶させ、当該電話制御装置から返送された位置登録完了通知の受信に応じて記憶部に位置登録進捗状況として登録完了したことを記憶させ、呼制御部により、記憶部の位置登録進捗状況が位置登録中を示す際の発信操作に応じて、位置登録中の電話制御装置に対して発信要求を送信するようにしたものである。
【００２４】
［携帯電話機の構成］
次に、図２を参照して、本発明の第１の実施の形態にかかる携帯電話機の構成について詳細に説明する。図２は、本発明の第１の実施の形態にかかる携帯電話機の構成を示すブロック図である。
携帯電話機１には、主な機能部として、携帯網インターフェース部（以下、携帯網Ｉ／Ｆ部という）１１、無線インターフェース部（以下、無線Ｉ／Ｆ部という）１２、音声処理部１３、操作入力部１４、表示部１５、記憶部１６、および制御部１７が設けられている。
【００２５】
携帯網Ｉ／Ｆ部１１は、専用の無線通信回路からなり、受信した無線信号に基づき携帯網３の無線エリアを検出する機能と、無線回線３０を介して携帯網３との間で音声パケットや呼制御メッセージなどのデータを送受信する機能を有している。
無線Ｉ／Ｆ部１２は、専用の無線通信回路からなり、受信した無線信号に基づき電話制御装置２Ａ，２Ｂの無線エリアを検出する機能と、無線回線２０Ａ，２０Ｂを介して電話制御装置２Ａ，２Ｂとの間で音声パケットや呼制御メッセージなどのデータを送受信する機能を有している。
【００２６】
音声処理部１３は、専用の音声処理回路からなり、携帯網Ｉ／Ｆ部１１や無線Ｉ／Ｆ部１２から入力された音声パケットを音声信号に復号する機能と、得られた音声信号をスピーカ（図示せず）から出力する機能と、マイク（図示せず）から入力された音声信号を音声パケットに符号化する機能と、得られた音声パケットを携帯網Ｉ／Ｆ部１１や無線Ｉ／Ｆ部１２Ｆへ出力する機能と、着信音などの各種信号音をスピーカから出力する機能とを有している。
【００２７】
操作入力部１４は、ダイヤルキーや機能キーなどの操作キーや各種スイッチからなり、利用者による発信、応答などの各種操作を検出して制御部１７へ出力する機能を有している。
表示部１５は、ＬＣＤやＬＥＤなどの表示装置からなり、制御部１７からの指示に応じて、操作メニューなどの各種情報や着信表示などの状態表示を行う機能を有している。
【００２８】
記憶部１６は、メモリなどの記憶装置からなり、制御部１７での各種処理に用いる処理情報やプログラム１６Ｐを記憶する機能を有している。
プログラム１６Ｐは、制御部１７に読み込まれて実行されることにより、各種処理部を実現するプログラムである。
記憶部１６で記憶する主な処理情報としては、端末情報１６Ａと位置登録進捗状況１６Ｂがある。端末情報１６Ａには、携帯網３および固定網４で共通に用いられる当該携帯電話機１の共通電話番号や各種機能の選択内容などの予め設定される情報や、当該携帯電話機１の動作状態を示す情報がある。位置登録進捗状況１６Ｂは、電話制御装置２Ａ，２Ｂに対する位置登録処理の進捗状況を示す情報である。
【００２９】
図３は、位置登録進捗状況の構成例である。電話制御装置２Ａ，２Ｂに対する位置登録処理の進捗状況は、電話制御装置２Ａ，２Ｂの無線エリアに在圏しており位置登録要求を送信した後の位置登録中の状態を示す「位置登録中」と、電話制御装置２Ａ，２Ｂに対する位置登録処理が完了した状態を示す「登録完了」とに大別される。位置登録進捗状況１６Ｂでは、位置登録処理の進捗状況として、このような「位置登録中」，「登録完了」のいずれかの状態を記憶する。また、このような進捗状況に合わせて、その位置登録の要求先である電話制御装置２Ａ，２Ｂを示すホスト識別情報を組として記憶する。
【００３０】
制御部１７は、ＣＰＵなどのマイクロプロセッサとその周辺回路を有し、記憶部１６のプログラム１６Ｐを読み込んで実行することにより、上記ハードウェアとプログラム１６Ｐとを協働させて各種処理部を実現する機能を有している。
制御部１７で実現される主な処理部として、呼制御部１７Ａと位置登録部１７Ｂがある。
【００３１】
呼制御部１７Ａは、携帯網Ｉ／Ｆ部１１や無線Ｉ／Ｆ部１２を介して携帯網３や固定網４と呼制御メッセージをやり取りすることにより、音声処理部１３や表示部１５を制御して、携帯網３や固定網４から提供されている、発信、着信、通話やデータ通信などの各種電話サービスを利用する機能と、電話制御装置２Ａ，２Ｂに接続して発信や着信を行う際、記憶部１６の位置登録進捗状況１６Ｂが示す位置登録処理の進捗状況に応じた手順で呼制御メッセージをやり取りする機能とを有している。
【００３２】
位置登録部１７Ｂは、携帯網Ｉ／Ｆ部１１による携帯網３の無線エリアの検出に応じて、携帯網Ｉ／Ｆ部１１を介して携帯網３へ位置登録要求メッセージを送信することにより位置登録を行う機能と、無線Ｉ／Ｆ部１２による電話制御装置２Ａ，２Ｂの無線エリアの検出に応じて、無線Ｉ／Ｆ部１２を介して電話制御装置２Ａ，２Ｂへ位置登録要求メッセージを送信することにより位置登録を行う機能と、電話制御装置２Ａ，２Ｂへの位置登録の際、その位置登録処理の進捗状況、すなわち「位置登録中」または「登録完了」を記憶部１６の位置登録進捗状況１６Ｂへ設定する機能と、無線Ｉ／Ｆ部１２による電話制御装置２Ａ，２Ｂの無線エリアが検出できなくなった場合には、位置登録進捗状況１６Ｂから当該電話制御装置２Ａ，２Ｂに関するエントリを削除する機能とを有している。
【００３３】
［電話制御装置の構成］
次に、図４を参照して、本発明の第１の実施の形態にかかる携帯電話機が接続される電話制御装置の構成について詳細に説明する。図４は、本発明の第１の実施の形態にかかる携帯電話機が接続される電話制御装置の構成を示すブロック図である。
電話制御装置２Ａ，２Ｂには、主な機能部として、回線インターフェース部（以下、回線Ｉ／Ｆ部という）２１、無線インターフェース部（以下、無線Ｉ／Ｆ部という）２２、内線インターフェース部（以下、内線Ｉ／Ｆ部という）２３、スイッチ２４、記憶部２５、および制御部２６が設けられている。
【００３４】
回線Ｉ／Ｆ部２１は、専用の通信回路からなり、固定回線４０Ａ，４０Ｂを介して固定網４との間で音声パケット（音声信号）や呼制御メッセージ（呼制御信号）などのデータ（信号）を送受信する機能を有している。
無線Ｉ／Ｆ部２２は、専用の無線通信回路からなり、無線回線２０Ａ，２０Ｂを介して携帯電話機１との間で音声パケットや呼制御メッセージなどのデータを送受信する機能を有している。
【００３５】
内線Ｉ／Ｆ部２３は、専用の無線通信回路からなり、内線回線２０Ｎを介して接続された内線電話端末（図示せず）との間で音声パケットや呼制御メッセージなどのデータを送受信する機能を有している。
スイッチ２４は、専用の通信経路切替回路からなり、制御部２６からの指示に応じて、回線Ｉ／Ｆ部２１、無線Ｉ／Ｆ部２２、内線Ｉ／Ｆ部２３の通信経路を任意に交換接続する機能を有している。
【００３６】
記憶部２５は、メモリやハードディスクなどの記憶装置からなり、制御部２６での各種処理に用いる処理情報やプログラム２５Ｐを記憶する機能を有している。
プログラム２５Ｐは、制御部２６に読み込まれて実行されることにより、各種処理部を実現するプログラムである。
【００３７】
記憶部２５で記憶する主な処理情報としては、呼制御情報２５Ａと無線端末情報２５Ｂがある。呼制御情報２５Ａは、固定回線４０Ａ，４０Ｂの電話番号、主携帯電話機を識別するための主共通電話番号、副携帯電話機の優先レベル、さらには各種機能の選択内容などの予め設定される情報や、固定回線４０Ａ，４０Ｂおよび内線電話端末の使用状況や動作状態を示す情報がある。無線端末情報２５Ｂは、無線回線２０Ａ，２０Ｂを介して接続している携帯電話機に関する情報である。
【００３８】
本発明では、電話制御装置２Ａ，２Ｂから見て固定回線４０Ａ，４０Ｂを所定の優先度の元での使用が許可されている携帯電話機を主携帯電話機といい、主携帯電話機より優先度が低く固定回線４０Ａ，４０Ｂの使用が制限されている携帯電話機を副携帯電話機という。すなわち携帯電話機１の主電話制御装置である電話制御装置２Ａから見て携帯電話機１は主携帯電話機となり、携帯電話機１の副電話制御装置である電話制御装置２Ｂから見て携帯電話機１は副携帯電話機となる。記憶部２５の呼制御情報２５Ａには、電話制御装置２Ａ，２Ｂの主携帯電話機となる携帯電話機の共通電話番号が主共通電話番号として予め設定されており、主携帯電話機かどうかの判断に用いられる。
【００３９】
図５は、無線端末情報の構成例である。携帯電話機１に対する位置登録処理の進捗状況は、携帯電話機１から位置登録要求を受信した後の位置登録中の状態を示す「仮登録」と、携帯電話機１の位置登録処理が完了した状態を示す「本登録」とに大別される。無線端末情報２５Ｂでは、位置登録処理の進捗状況として、このような「仮登録」または「本登録」のいずれかの状態を記憶する。また、このような進捗状況に合わせて、位置登録の対象となる携帯電話機１を示す、例えば携帯電話機１の共通電話番号からなる端末識別情報を組として記憶する。
【００４０】
制御部２６は、ＣＰＵなどのマイクロプロセッサとその周辺回路を有し、記憶部２５のプログラム２５Ｐを読み込んで実行することにより、上記ハードウェアとプログラム２５Ｐとを協働させて各種処理部を実現する機能を有している。
制御部２６で実現される主な処理部として、呼制御部２６Ａと無線端末管理部２６Ｂがある。
【００４１】
呼制御部２６Ａは、回線Ｉ／Ｆ部２１、無線Ｉ／Ｆ部２２、または内線Ｉ／Ｆ部２３を介して固定網４、携帯電話機１、または内線電話端末と呼制御メッセージをやり取りすることにより、固定網４から提供されている、発信、着信、通話やデータ通信などの各種電話サービスを利用する機能と、スイッチ２４を制御して回線Ｉ／Ｆ部２１、無線Ｉ／Ｆ部２２、内線Ｉ／Ｆ部２３の通信経路を任意に交換接続することにより、固定網４、携帯電話機１、内線電話端末の間の通話やデータ通信を実現する機能と、制限携帯電話機１の発信や着信を行う際、記憶部２５の無線端末情報２５Ｂが示す位置登録処理の進捗状況に応じた手順で携帯電話機１や固定網４と呼制御メッセージをやり取りする機能とを有している。
【００４２】
無線端末管理部２６Ｂは、無線Ｉ／Ｆ部２２を介して受信した携帯電話機１からの位置登録要求に応じて、回線Ｉ／Ｆ部２１から固定回線４０Ａ，４０Ｂを介して固定網４へ位置登録要求メッセージを送信することにより携帯電話機１の位置登録を行う機能と、位置登録の際、その位置登録処理の進捗状況、すなわち「仮登録」または「本登録」を記憶部２５の無線端末情報２５Ｂへ設定する機能と、無線Ｉ／Ｆ部１２により当該電話制御装置２Ａ，２Ｂの無線エリア内で携帯電話機１の在圏が確認できなくなった場合には、無線端末情報２５Ｂから当該携帯電話機１に関するエントリを削除する機能とを有している。
【００４３】
本実施の形態では、携帯電話機１からの位置登録要求に応じて無線端末管理部２６Ｂにより管理装置５へ、携帯電話機１が当該電話制御装置２Ａ，２Ｂの固定回線４０Ａ，４０Ｂに接続されている旨を示す位置登録を行う。この際、携帯電話機１が主携帯電話機の場合、携帯電話機１へ直ちに位置登録完了を通知し、携帯電話機１が副携帯電話機の場合、携帯電話機１には位置登録完了を通知せず、携帯電話機１の進捗状況を「仮登録」とする。その後、仮登録中の携帯電話機１からの発信要求や固定網４からの仮登録中の携帯電話機１に対する着信通知に応じて、携帯電話機１へ位置登録完了を通知して「本登録」とする。
【００４４】
したがって、副携帯電話機の携帯電話機１を「本登録」とする際、固定回線４０Ａ，４０Ｂの使用状況に応じて、「本登録」とするか否かを判断でき、内線電話端末を当該携帯電話機１より優先的に固定回線４０Ａ，４０Ｂを使用させることができる。例えば、固定回線４０Ａ，４０Ｂが持つ複数の通話チャネルのうち残りが１チャネルしかない場合、携帯電話機１からの発信要求があった場合でも、携帯電話機１を「本登録」にせず当該発信要求に対する返答を行わないなどの優先制御が可能となる。
【００４５】
［第１の実施の形態の動作］
次に、図６を参照して、本発明の第１の実施の形態にかかる携帯電話機の動作について説明する。図６は、本発明の第１の実施の形態にかかる携帯電話機の動作を示すシーケンス図である。ここでは、携帯電話機１が副電話制御装置である電話制御装置２Ｂに接続する場合を例として説明する。
【００４６】
まず、携帯電話機１の位置登録動作について説明する。携帯電話機１の制御部１７は、無線Ｉ／Ｆ部１２で電話制御装置２Ｂの無線エリアが検出された場合、位置登録部１７Ｂにより、無線Ｉ／Ｆ部１２から無線回線２０Ｂを介して電話制御装置２Ｂへ位置登録要求メッセージを送信し（ステップ１００）、記憶部１６の位置登録進捗状況１６Ｂに、電話制御装置２Ｂの識別情報と進捗状況「位置登録中」の組を登録する（ステップ１０１）。
【００４７】
電話制御装置２Ｂの制御部２６は、無線Ｉ／Ｆ部２２を介して携帯電話機１からの位置登録要求メッセージを受信した場合、無線端末管理部２６Ｂにより、記憶部２５の無線端末情報２５Ｂを読み出し、位置登録要求メッセージに含まれている携帯電話機１の共通電話番号について位置登録状況を確認することにより、管理装置５に対する位置登録要否を判定する（ステップ１０２）。
【００４８】
ここで、無線端末管理部２６Ｂは、携帯電話機１の位置登録状況が無線端末情報２５Ｂに存在する場合には、管理装置５に対する位置登録は不要と判定し、携帯電話機１からの位置登録要求に対して応答しない。一方、携帯電話機１の位置登録状況が無線端末情報２５Ｂに存在しない場合には、管理装置５に対する位置登録が必要と判定し、携帯電話機１の共通電話番号と記憶部１６の呼制御情報２５Ａから読み出した固定回線４０Ｂの電話番号を含む位置登録要求メッセージを、回線Ｉ／Ｆ部２１、固定回線４０Ｂ、および固定網４を介して管理装置５へ送信する（ステップ１０３）。
【００４９】
管理装置５は、固定網４を介して電話制御装置２Ｂからの位置登録要求メッセージを受信し、そのメッセージに含まれる携帯電話機１の共通電話番号と固定回線４０Ｂの電話番号の組を位置登録テーブルに登録する（ステップ１０４）。これにより、携帯電話機１が固定回線４０Ｂに接続されていることが登録される。
図７は、位置登録テーブルの構成例である。ここでは、携帯電話機の共通電話番号とその接続先電話番号とが組としてそれぞれ登録されている。携帯電話機１が携帯網３に直接接続されている場合、その接続先電話番号には当該携帯電話機１の共通電話番号が登録され、電話制御装置２Ａ，２Ｂを介して固定網４に接続されている場合、その接続先電話番号には電話制御装置２Ａ，２Ｂの固定回線４０Ａ，４０Ｂの電話番号が登録される。
【００５０】
電話制御装置２Ｂの無線端末管理部２６Ｂは、管理装置５に対する位置登録が完了した後、記憶部２５の呼制御情報２５Ａに設定されている主共通電話番号と携帯電話機１の共通電話番号とを比較して携帯電話機１が主携帯電話機か否か確認する。この場合、携帯電話機１が副携帯電話機であることから、携帯電話機１に対して直ちに位置登録完了メッセージを送信せず、記憶部２５の無線端末情報２５Ｂに対して携帯電話機１の共通電話番号と進捗状況「仮登録」の組を登録する（ステップ１０５）。
【００５１】
したがって、無線端末管理部２６Ｂは、携帯電話機１から位置登録要求メッセージを再度受信しても（ステップ１０６）、携帯電話機１について「仮登録」中である旨が無線端末情報２５Ｂに登録されていることから、管理装置５への位置登録は不要と判定する。なお、携帯電話機１が主携帯電話機の場合は、管理装置５に対する位置登録が完了した後、直ちに携帯電話機１へ位置登録完了通知を返送する。
【００５２】
この後、携帯電話機１が「位置登録中」の状態、すなわち電話制御装置２Ｂにおいて「仮登録」の状態で、操作入力部１４により発信操作が検出された場合（ステップ１１０）、制御部１７は、呼制御部１７Ａにより、記憶部１６の位置登録進捗状況１６Ｂを読み出して位置登録の進捗状況を確認し、現在「位置登録中」であることからその電話制御装置識別情報に対応する電話制御装置２Ｂへ、無線Ｉ／Ｆ部１２から無線回線２０Ｂを介して発信要求メッセージを送信する（ステップ１１１）。
【００５３】
電話制御装置２Ｂの制御部２６は、無線Ｉ／Ｆ部２２を介して携帯電話機１からの発信要求メッセージを受信した場合、無線端末管理部２６Ｂにより、記憶部２５の無線端末情報２５Ｂを確認する。この際、携帯電話機１が「仮登録」されていることから、呼制御部２６Ａにより、記憶部２５の呼制御情報２５Ａに含まれる、固定回線４０Ａ，４０Ｂおよび内線電話端末の使用状況や動作状態と副携帯電話機の優先レベルとに基づき携帯電話機１の発信可否を判定する。
【００５４】
ここで、発信可能と判定された場合、無線端末管理部２６Ｂにより、無線端末情報２５Ｂにおける携帯電話機１の進捗状況を「本登録」と設定する（ステップ１１２）。なお、発信不可と判定された場合、携帯電話機１からの発信要求には応じず、例えば回線ビジーを携帯電話機１へ通知し、あるいは何も通知せず発信要求を無視する。
【００５５】
この後、電話制御装置２Ｂの制御部２６は、無線端末管理部２６Ｂにより、無線Ｉ／Ｆ部２２を介して携帯電話機１へ位置登録完了通知メッセージを送信する（ステップ１１３）。
携帯電話機１の制御部１７は、この位置登録完了通知メッセージの受信に応じて、位置登録部１７Ｂにより、記憶部１６の位置登録進捗状況１６Ｂに、電話制御装置２Ｂの識別情報と対応する進捗状況を「登録完了」と設定する（ステップ１１４）。
また、電話制御装置２Ｂの制御部２６は、呼制御部２６Ａにより、回線Ｉ／Ｆ部２１から固定網４に対して発信要求メッセージを送信し（ステップ１１５）、通常の発信処理を開始する。
【００５６】
一方、携帯電話機１が「位置登録中」の状態、すなわち電話制御装置２Ｂにおいて「仮登録」の状態で、携帯網３で携帯電話機１に対する着呼が発生した場合（ステップ１２０）、携帯網３は管理装置５の位置登録テーブルに登録されている携帯電話機１の位置登録情報に基づいて、固定回線４０Ｂを着信先とする着信通知を、中継回線６０を介して固定網４へ中継する（ステップ１２１）。
【００５７】
電話制御装置２Ｂの制御部２６は、固定網４から固定回線４０Ｂを介して通知された着信通知を回線Ｉ／Ｆ部２１で受信した場合（ステップ１２２）、無線端末管理部２６Ｂにより、記憶部２５の無線端末情報２５Ｂを確認する。この際、携帯電話機１が「仮登録」されていることから、呼制御部２６Ａにより、記憶部２５の呼制御情報２５Ａに含まれる、固定回線４０Ａ，４０Ｂおよび内線電話端末の使用状況や動作状態と副携帯電話機の優先レベルとに基づき携帯電話機１の着信可否を判定する。
【００５８】
ここで、着信可能と判定された場合、無線端末管理部２６Ｂにより、無線端末情報２５Ｂにおける携帯電話機１の進捗状況を「本登録」と設定する（ステップ１２３）。なお、着信不可と判定された場合、固定網４からの着信通知には応じず、例えば話中ビジーを固定網４へ通知する。
【００５９】
この後、電話制御装置２Ｂの制御部２６は、無線端末管理部２６Ｂにより、無線Ｉ／Ｆ部２２を介して携帯電話機１へ位置登録完了通知を送信する（ステップ１２４）。
携帯電話機１の制御部１７は、この位置登録完了通知の受信に応じて、位置登録部１７Ｂにより、記憶部１６の位置登録進捗状況１６Ｂに、電話制御装置２Ｂの識別情報と対応する進捗状況を「登録完了」と設定する（ステップ１２５）。
【００６０】
また、電話制御装置２Ｂの制御部２６は、呼制御部２６Ａにより、無線Ｉ／Ｆ部２２を介して携帯電話機１へ着信通知メッセージを送信し（ステップ１２６）、通常の着信処理を開始する。
携帯電話機１の制御部１７は、この着信通知の受信に応じて、呼制御部１７Ａにより、音声処理部１３を制御して着信音をスピーカから送出するとともに、表示部１５を制御して着信表示を行うことにより、着信呼出を行う（ステップ１２７）。
【００６１】
［第１の実施の形態の効果］
このように、本実施の形態は、携帯電話機１において、位置登録部１７Ｂにより、電話制御装置２Ａ，２Ｂに接続する際、電話制御装置２Ａ，２Ｂに対して位置登録要求を送信するとともに記憶部１６に位置登録進捗状況１６Ｂとして位置登録中であることを記憶させ、当該電話制御装置２Ａ，２Ｂから返送された位置登録完了通知の受信に応じて記憶部１６に位置登録進捗状況１６Ｂとして登録完了したことを記憶させ、呼制御部１７Ａにより、記憶部の位置登録進捗状況が位置登録中を示す際の発信操作に応じて、位置登録中の電話制御装置に対して発信要求を送信するようにしたので、電話制御装置に対して位置登録要求送信後、位置登録完了が返送されない仮登録状態においても発信処理を行うことができる。
【００６２】
したがって、携帯電話機による固定回線の使用が制限される電話制御装置に接続する場合であって、当該電話制御装置により仮登録状態を用いて管理される場合でも、当該電話制御装置の携帯電話機制御に対応することが可能となる。
このため、例えば携帯網と自宅の固定回線とで共用していた携帯電話機を、会社や友人宅などの固定回線も使用することができ、携帯電話機の接続範囲を大幅に拡張することができる。したがって、携帯電話機の機動性と安価な固定回線使用によるコスト削減とを結び付けることが可能となり、携帯電話機を極めて効果的に利用することができる。
【００６３】
また、電話制御装置による携帯電話機の登録状況の管理について、電話制御装置と携帯電話機との間で特定のメッセージをやり取りする必要がないため、携帯電話機の処理の複雑化、処理負荷増大、コストアップを抑制しつつ、仮登録状態を用いて携帯電話機を管理する電話制御装置に対応することができる。
【００６４】
［第２の実施の形態］
次に、図８を参照して、本発明の第２の実施の形態にかかる携帯電話機について説明する。図８は、本発明の第２の実施の形態にかかる携帯電話機の動作を示すシーケンス図である。
【００６５】
第１の実施の形態では、携帯電話機１からの位置登録要求メッセージの受信に応じて、電話制御装置２Ｂから管理装置５へ位置登録を行う場合を例として説明した。本実施の形態では、携帯電話機１からの位置登録要求メッセージの受信に応じて、電話制御装置２Ｂで携帯電話機１を仮登録としておき、仮登録状態における携帯電話機１での発信または着信に応じて携帯電話機１を本登録とした後、管理装置５へ位置登録を行う場合について説明する。
【００６６】
本実施の形態において、電話制御装置２Ｂの無線端末管理部２６Ｂは、携帯電話機１から受信した位置登録要求メッセージに応じて、携帯電話機１の進捗状況「仮登録」を記憶部２５の無線端末情報２５Ｂへ設定するとともに、携帯電話機１へ位置登録確認要求メッセージを送信する機能と、その後の携帯電話機１からの位置登録確認通知メッセージの受信に応じて、携帯電話機１の進捗状況「本登録」を無線端末情報２５Ｂへ設定するとともに、回線Ｉ／Ｆ部２１から固定回線４０Ａ，４０Ｂを介して固定網４へ位置登録要求メッセージを送信することにより管理装置５に対する携帯電話機１の位置登録を行う機能と、この位置登録後、携帯電話機１へ位置登録完了通知メッセージを送信する機能とを有している。
【００６７】
一方、携帯電話機１の位置登録部１７Ｂは、電話制御装置２Ａ，２Ｂへ位置登録要求メッセージを送信した後、電話制御装置２Ａ，２Ｂから返送された位置登録確認要求の受信に応じて、記憶部１６の位置登録進捗状況１６Ｂを「位置登録中」に設定する機能と、位置登録中の電話制御装置２Ａ，２Ｂに対して位置登録確認応答を送信する機能とを有している。
【００６８】
また、呼制御部１７Ａは、位置登録進捗状況１６Ｂが「位置登録中」を示す際に発信操作が行われた場合、電話制御装置２Ａ，２Ｂからの位置登録完了通知の受信に応じて電話制御装置に対して発信要求を送信する機能と、電話制御装置２Ａ，２Ｂからの位置登録完了通知の受信後、電話制御装置２Ａ，２Ｂからの着信通知の受信に応じて着信表示を行う機能とを有している。
【００６９】
［第２の実施の形態の動作］
次に、図８を参照して、本発明の第２の実施の形態にかかる携帯電話機の動作について説明する。ここでは、携帯電話機１が副電話制御装置である電話制御装置２Ｂに接続する場合を例として説明する。
【００７０】
まず、携帯電話機１の位置登録動作について説明する。携帯電話機１の制御部１７は、無線Ｉ／Ｆ部１２で電話制御装置２Ｂの無線エリアが検出された場合、無線Ｉ／Ｆ部１２から無線回線２０Ｂを介して電話制御装置２Ｂへ位置登録要求メッセージを送信する（ステップ２００）。
【００７１】
電話制御装置２Ｂの制御部２６は、無線Ｉ／Ｆ部２２を介して携帯電話機１からの位置登録要求メッセージを受信した場合、無線端末管理部２６Ｂにより、記憶部２５の呼制御情報２５Ａに設定されている主共通電話番号と携帯電話機１の共通電話番号とを比較して携帯電話機１が主携帯電話機か否か確認する。
【００７２】
この場合、携帯電話機１が副携帯電話機であることから、携帯電話機１に対して直ちに位置登録完了メッセージを送信せず、記憶部２５の無線端末情報２５Ｂに対して、携帯電話機１の共通電話番号と進捗状況「仮登録」の組を登録し（ステップ２０１）、無線Ｉ／Ｆ部２２を介して携帯電話機１へ位置登録確認要求メッセージを送信する（ステップ２０２）。なお、携帯電話機１が主携帯電話機の場合は、直ちに管理装置５に対する位置登録処理を行い、携帯電話機１へ位置登録完了通知を返送する。
【００７３】
携帯電話機１の位置登録部１７Ｂは、無線Ｉ／Ｆ部１２による電話制御装置２Ｂからの位置登録確認要求メッセージの受信に応じて、記憶部１６の位置登録進捗状況１６Ｂに、電話制御装置２Ｂの識別情報と進捗状況「位置登録中」の組を登録する（ステップ２０３）。
【００７４】
この後、携帯電話機１が「位置登録中」の状態、すなわち電話制御装置２Ｂにおいて「仮登録」の状態で、操作入力部１４により発信操作が検出された場合（ステップ２１０）、制御部１７は、位置登録部１７Ｂにより、無線Ｉ／Ｆ部１２から無線回線２０Ｂを介して電話制御装置２Ｂへ位置登録確認通知メッセージを送信する（ステップ２１１）。
【００７５】
電話制御装置２Ｂの制御部２６は、無線Ｉ／Ｆ部２２を介して携帯電話機１からの位置登録確認通知メッセージを受信した場合、無線端末管理部２６Ｂにより、携帯電話機１の共通電話番号と記憶部１６の呼制御情報２５Ａから読み出した固定回線４０Ｂの電話番号を含む位置登録要求メッセージを、回線Ｉ／Ｆ部２１、固定回線４０Ｂ、および固定網４を介して管理装置５へ送信する（ステップ２１２）。
【００７６】
管理装置５は、固定網４を介して電話制御装置２Ｂからの位置登録要求メッセージを受信し、そのメッセージに含まれる携帯電話機１の共通電話番号と固定回線４０Ｂの電話番号の組を位置登録テーブルに登録する（ステップ２１３）。これにより、携帯電話機１が固定回線４０Ｂに接続されていることが登録される。
【００７７】
無線端末管理部２６Ｂは、管理装置５に対する位置登録が完了した後、無線端末情報２５Ｂにおける携帯電話機１の進捗状況を「本登録」と設定し（ステップ２１４）、無線Ｉ／Ｆ部２２を介して携帯電話機１へ位置登録完了通知メッセージを送信する（ステップ２１５）。
【００７８】
携帯電話機１の位置登録部１７Ｂは、無線Ｉ／Ｆ部１２による電話制御装置２Ｂからの位置登録完了通知メッセージの受信に応じて、記憶部１６の位置登録進捗状況１６Ｂに、電話制御装置２Ｂの識別情報と進捗状況「登録完了」の組を登録する（ステップ２１６）。この後、呼制御部１７Ａは、無線Ｉ／Ｆ部１２から無線回線２０Ｂを介して電話制御装置２Ｂへ発信要求メッセージを送信する（ステップ２１７）。
【００７９】
電話制御装置２Ｂの制御部２６は、無線Ｉ／Ｆ部２２を介して携帯電話機１からの発信要求メッセージを受信した場合、無線端末管理部２６Ｂにより、記憶部２５の無線端末情報２５Ｂを確認する。この際、携帯電話機１が「本登録」されていることから、呼制御部２６Ａにより、記憶部２５の呼制御情報２５Ａに含まれる、固定回線４０Ａ，４０Ｂおよび内線電話端末の使用状況や動作状態と副携帯電話機の優先レベルとに基づき携帯電話機１の発信可否を判定する。
【００８０】
ここで、発信可能と判定された場合、電話制御装置２Ｂの制御部２６は、呼制御部２６Ａにより、回線Ｉ／Ｆ部２１から固定網４に対して発信要求メッセージを送信し（ステップ１２８）、通常の発信処理を開始する。なお、発信不可と判定された場合、携帯電話機１からの発信要求には応じず、例えば回線ビジーを携帯電話機１へ通知する。
【００８１】
一方、携帯電話機１が「位置登録中」の状態、すなわち電話制御装置２Ｂにおいて「仮「仮登録」の状態で、携帯網３で携帯電話機１に対する着呼が発生した場合（ステップ２２０）、携帯網３は管理装置５の位置登録テーブルに登録されている携帯電話機１の位置登録情報に基づいて、無線回線３０を介して携帯電話機１へ着信通知メッセージを送信する（ステップ２２１）。
【００８２】
携帯電話機１の制御部１７は、携帯網Ｉ／Ｆ部１１により携帯網３から着信通知メッセージを受信した場合、位置登録部１７Ｂにより、無線Ｉ／Ｆ部１２から無線回線２０Ｂを介して電話制御装置２Ｂへ位置登録確認通知メッセージを送信する（ステップ２２２）。
【００８３】
電話制御装置２Ｂの制御部２６は、無線Ｉ／Ｆ部２２を介して携帯電話機１からの位置登録確認通知メッセージを受信した場合、無線端末管理部２６Ｂにより、携帯電話機１の共通電話番号と記憶部１６の呼制御情報２５Ａから読み出した固定回線４０Ｂの電話番号を含む位置登録要求メッセージを、回線Ｉ／Ｆ部２１、固定回線４０Ｂ、および固定網４を介して管理装置５へ送信する（ステップ２２３）。
【００８４】
管理装置５は、固定網４を介して電話制御装置２Ｂからの位置登録要求メッセージを受信し、そのメッセージに含まれる携帯電話機１の共通電話番号と固定回線４０Ｂの電話番号の組を位置登録テーブルに登録する（ステップ２２４）。これにより、携帯電話機１が固定回線４０Ｂに接続されていることが登録される。
【００８５】
無線端末管理部２６Ｂは、管理装置５に対する位置登録が完了した後、無線端末情報２５Ｂにおける携帯電話機１の進捗状況を「本登録」と設定し（ステップ２２５）、無線Ｉ／Ｆ部２２を介して携帯電話機１へ位置登録完了通知メッセージを送信する（ステップ２２６）。
【００８６】
携帯電話機１の位置登録部１７Ｂは、無線Ｉ／Ｆ部１２による電話制御装置２Ｂからの位置登録完了通知メッセージの受信に応じて、記憶部１６の位置登録進捗状況１６Ｂに、電話制御装置２Ｂの識別情報と進捗状況「登録完了」の組を登録する（ステップ２２７）。
【００８７】
携帯網３は、携帯電話機１に対して着信通知を送信した後も、管理装置５の位置登録テーブルに登録されている携帯電話機１の位置登録情報を確認し、その接続先電話番号が電話制御装置２Ｂの固定回線４０Ｂに変更されたことから、携帯電話機１の呼出を中止するとともに、固定回線４０Ｂを着信先とする着信通知を、中継回線６０を介して固定網４へ中継する（ステップ２２８）。
【００８８】
電話制御装置２Ｂの制御部２６は、固定網４から固定回線４０Ｂを介して通知された着信通知を回線Ｉ／Ｆ部２１で受信した場合（ステップ２２９）、無線端末管理部２６Ｂにより、記憶部２５の無線端末情報２５Ｂを確認する。この際、携帯電話機１が「本登録」されていることから、呼制御部２６Ａにより、記憶部２５の呼制御情報２５Ａに含まれる、固定回線４０Ａ，４０Ｂおよび内線電話端末の使用状況や動作状態と副携帯電話機の優先レベルとに基づき携帯電話機１の着信可否を判定する。
【００８９】
ここで、着信可能と判定された場合、制御部２６は、呼制御部２６Ａにより、無線Ｉ／Ｆ部２２を介して携帯電話機１へ着信通知メッセージを送信し（ステップ２３０）、通常の着信処理を開始する。なお、着信不可と判定された場合、固定網４からの着信通知には応じず、例えば話中ビジーを固定網４へ通知する。
携帯電話機１の制御部１７は、この着信通知の受信に応じて、呼制御部１７Ａにより、音声処理部１３を制御して着信音をスピーカから送出するとともに、表示部１５を制御して着信表示を行うことにより、着信呼出を行う（ステップ２３１）。
【００９０】
［第２の実施の形態の効果］
このように、本実施の形態は、携帯電話機１において、位置登録部１７Ｂにより、電話制御装置２Ａ，２Ｂに接続する際、位置登録要求を送信した後、電話制御装置２Ａ，２Ｂから返送された位置登録確認要求の受信に応じて、記憶部１６に位置登録進捗状況１６Ｂとして位置登録中であることを記憶させ、位置登録進捗状況１６Ｂが位置登録中を示す際に発信操作が行われた場合、位置登録部１７Ｂにより、位置登録中の電話制御装置２Ａ，２Ｂに対して位置登録確認応答を送信し、呼制御部１７Ａにより、電話制御装置２Ａ，２Ｂからの位置登録完了通知の受信に応じて電話制御装置２Ａ，２Ｂに対して発信要求を送信するようにしたので、電話制御装置に対して位置登録要求送信後、位置登録完了が返送されない仮登録状態においても発信処理を行うことができる。
【００９１】
したがって、携帯電話機１による固定回線の使用が制限される電話制御装置に接続する場合であって、当該電話制御装置により仮登録状態を用いて管理される場合でも、当該電話制御装置の携帯電話機制御に対応することが可能となる。
このため、例えば携帯網と自宅の固定回線とで共用していた携帯電話機を、会社や友人宅などの固定回線も使用することができ、携帯電話機の接続範囲を大幅に拡張することができる。したがって、携帯電話機の機動性と安価な固定回線使用によるコスト削減とを結び付けることが可能となり、携帯電話機を極めて効果的に利用することができる。
【００９２】
また、電話制御装置による携帯電話機の登録状況の管理について、電話制御装置と携帯電話機との間で位置登録確認要求や位置登録確認通知のメッセージをやり取りするため、電話制御装置と携帯電話機との双方で位置登録状況が自動的に一致させることができ、安定したシステムを実現できる。また、携帯電話機側で、管理装置に対して固定網経由で位置登録するかどうかを判断することもでき、極めて柔軟なシステムを構築できる。
【００９３】
また、本実施の形態では、携帯電話機１において、記憶部１６の位置登録進捗状況１５Ｂが位置登録中を示す際に携帯網３から着信通知を受信した場合、位置登録部１７Ｂにより、位置登録中の電話制御装置２Ｂに対して位置登録確認応答を送信し、呼制御部１７Ａにより、電話制御装置２Ｂからの位置登録完了通知の受信後、電話制御装置２Ｂからの着信通知の受信に応じて着信表示を行うようにしたので、携帯網３からの着信を固定網４を経由して応答することができる。
【００９４】
この際、図８のステップ２２２において、携帯網３からの着信に対して、位置登録部１７Ｂにより位置登録確認通知を電話制御装置２Ｂへ送信せず、呼制御部１７Ａにより、携帯網３からの着信について着信表示してもよい。そして、例えば通常の応答操作が行われた場合、前述のステップ２２２移行のステップを実行して固定網４を介して当該着信に応答し、通常とは異なる別個の応答操作が操作入力部１４で検出された場合、呼制御部１７Ａにより、携帯網Ｉ／Ｆ部１１から携帯網３へ応答メッセージを返送して、携帯網３からの着信に直接応答してもよい。これにより、利用者が携帯網３と固定網４のいずれを利用するかについて、着信時に選択することができ、極めて大きな自由度を持つ携帯電話機を実現できる。
【図面の簡単な説明】
【００９５】
【図１】本発明の第１の実施の形態にかかる携帯電話機が用いられる携帯電話サービス網の構成を示すブロック図である。
【図２】本発明の第１の実施の形態にかかる携帯電話機の構成を示すブロック図である。
【図３】位置登録進捗状況の構成例である。
【図４】本発明の第１の実施の形態にかかる携帯電話機が接続される電話制御装置の構成を示すブロック図である。
【図５】無線端末情報の構成例である。
【図６】本発明の第１の実施の形態にかかる携帯電話機の動作を示すシーケンス図である。
【図７】位置登録テーブルの構成例である。
【図８】本発明の第２の実施の形態にかかる携帯電話機の動作を示すシーケンス図である。
【符号の説明】
【００９６】
１…携帯電話機、１１…携帯網Ｉ／Ｆ部、１２…無線Ｉ／Ｆ部、１３…音声処理部、１４…操作入力部、１５…表示部、１６…記憶部、１６Ａ…端末情報、１６Ｂ…位置登録進捗状況、１６Ｐ…プログラム、１７…制御部、１７Ａ…呼制御部、１７Ｂ…位置登録部、２Ａ，２Ｂ…電話制御装置、２０Ａ，２０Ｂ…無線回線、２０Ｎ…内線回線、２１…回線Ｉ／Ｆ部、２２…無線Ｉ／Ｆ部、２３…内線Ｉ／Ｆ部、２４…スイッチ、２５…記憶部、２５Ａ…呼制御情報、２５Ｂ…無線端末情報、２５Ｐ…プログラム、２６…制御部、２６Ａ…呼制御部、２６Ｂ…無線端末管理部、３…携帯網、３０…無線回線、４…固定網、４０Ａ，４０Ｂ…固定回線、５…管理装置、６０…中継回線、６１，６２…制御回線。
【図１】
2008252825.tif 000003
【図２】
2008252825.tif 000004
【図３】
2008252825.tif 000005
【図４】
2008252825.tif 000006
【図５】
2008252825.tif 000007
【図６】
2008252825.tif 000008
【図７】
2008252825.tif 000009
【図８】
2008252825.tif 000010